(57)【要約】【課題】材料のムダを極力省いた合成樹脂製袋用原反、及び、合成樹脂製袋を提供する。【解決手段】原反20は、両側部にそれぞれマチ予定部27,27を有する長尺な偏平チューブ状の原反本体21を備えており、長さ方向に所定間隔をおいて切断されることで袋１が得られる。袋１の袋本体２は、その両側部にそれぞれマチ予定部27,27から形成されたマチ7,7を有する。被収容物を収容した状態の袋本体２の天壁は、袋本体２の上端2aで２つの天壁半部3a,3aに区画されている。各マチ７は袋本体２の天壁の内面に重合される重合壁８を有する。重合壁８は袋本体２の上端2aで２つの重合壁半部8a,8aに区画されている。提げ手15は、原反本体21の各袋本体予定部22の天壁半部予定部23aの外面側に幅方向に延びる態様にして配置される。さらに、提げ手15の各端部15aが原反本体21の重合壁半部予定部28aの外面側に折り返されて該外面に固着されている。【選択図】図３
2015067323.tif 000002
【特許請求の範囲】
【請求項１】
両側部にそれぞれ二つ折り状に折り込まれたマチ予定部を有する長尺な偏平チューブ状の原反本体を備えるとともに、長さ方向に所定間隔をおいて切断されることで袋が得られる合成樹脂製袋用原反であって、
袋は、袋本体と帯状の提げ手とを備えており、
袋本体は、その両側部にそれぞれマチ予定部から形成されるとともに二つ折り状に折り込まれたマチを有するものであり、
袋本体の上端は、被収容物を収容した状態の袋本体の天壁の中央部に横断状に配置されるとともに、
袋本体の天壁が、袋本体の上端で２つの天壁半部に区画されており、
袋本体の上端及び下端のうち少なくとも一方は、袋本体内への被収容物の収容のために開口しており、且つ、収容後に封止されるものであり、
各マチは、被収容物を収容した状態の袋本体の天壁の内面に重合される重合壁を有するとともに、
各マチの重合壁が、袋本体の上端で２つの重合壁半部に区画されており、
提げ手は、原反本体とは別体に形成されたものであり、且つ、原反本体における各袋本体予定部の天壁半部予定部の外面側に、幅方向に延びる態様にして配置されるとともに、
提げ手の両端部が、天壁半部予定部の両側部の外面に固着されているか、あるいは原反本体における各袋本体予定部の両マチ予定部の重合壁半部予定部の外面側に折り返されて該外面に固着されていることを特徴とする合成樹脂製袋用原反。
【請求項２】
提げ手の両端部は、天壁半部予定部の両側部の外面に固着されないで、原反本体における各袋本体予定部の両マチ予定部の重合壁半部予定部の外面側に折り返されて該外面に固着されている請求項１記載の合成樹脂製袋用原反。
【請求項３】
提げ手は、原反本体における各袋本体予定部の天壁半部予定部の外面側に、該外面に略重合し且つ幅方向に延びる態様にして配置されている請求項１又は２記載の合成樹脂製袋用原反。
【請求項４】
提げ手は、原反本体における各袋本体予定部の各天壁半部予定部の外面側に、幅方向に延びる態様にして配置されている請求項１〜３のいずれかに記載の合成樹脂製袋用原反。
【請求項５】
提げ手は透明である請求項１〜４のいずれかに記載の合成樹脂製袋用原反。
【請求項６】
提げ手は合成樹脂製であり、
提げ手の両端部がそれぞれ溶着により固着されている請求項１〜５のいずれかに記載の合成樹脂製袋用原反。
【請求項７】
請求項１〜６のいずれかに記載の合成樹脂製袋用原反をその長さ方向に所定間隔をおいて切断して得られたものであることを特徴とする合成樹脂製袋。
【請求項８】
袋本体と、帯状の提げ手とを備えた合成樹脂製袋であって、
袋本体は、その両側部に二つ折り状に折り込まれたマチを有するものであり、
袋本体の上端は、被収容物を収容した状態の袋本体の天壁の中央部に横断状に配置されるとともに、
袋本体の天壁が、袋本体の上端で２つの天壁半部に区画されており、
袋本体の上端及び下端のうち少なくとも一方は、袋本体内への被収容物の収容のために開口しており、且つ、収容後に封止されるものであり、
各マチは、被収容物を収容した状態の袋本体の天壁の内面に重合される重合壁を有するとともに、
各マチの重合壁が、袋本体の上端で２つの重合壁半部に区画されており、
提げ手は、袋本体とは別体に形成されたものであり、更に、天壁半部の外面側に幅方向に延びる態様にして配置されるとともに、
提げ手の両端部が、天壁半部の両側部の外面に固着されているか、あるいは両マチの重合壁半部の外面側に折り返されて該外面に固着されていることを特徴とする合成樹脂製袋。
【請求項９】
提げ手の両端部は、天壁半部の両側部の外面に固着されないで、両マチの重合壁半部の外面側に折り返されて該外面に固着されている請求項８記載の合成樹脂製袋。
【請求項１０】
提げ手は、天壁半部の外面側に、該外面に略重合し且つ幅方向に延びる態様にして配置されている請求項８又は９記載の合成樹脂製袋。
【請求項１１】
提げ手は、各天壁半部の外面側に幅方向に延びる態様にして配置されている請求項８〜１０のいずれかに記載の合成樹脂製袋。
【請求項１２】
提げ手は透明である請求項８〜１１のいずれかに記載の合成樹脂製袋。
【請求項１３】
提げ手は合成樹脂製であり、
提げ手の両端部がそれぞれ溶着により固着されている請求項８〜１２のいずれかに記載の合成樹脂製袋。
【発明の詳細な説明】
【技術分野】
【０００１】
本発明は、紙おむつ、生理用ナプキン、ペットシーツ、トイレットロール等の被収容物を収容して包装する合成樹脂製袋用原反、及び、合成樹脂製袋に関する。
【背景技術】
【０００２】
被収容物として例えば紙おむつを収容して包装する合成樹脂製袋は、一般的にその両側部にそれぞれ二つ折り状に折り込まれたマチを有しており、更に、持ち運び用の提げ手部も有している（例えば、特許文献１、２参照）。
【０００３】
この種の袋は次のようにして得られる。すなわち、図１０に示すように、両側部にそれぞれ二つ折り状に折り込まれたマチ予定部１２７、１２７を有する長尺な偏平チューブ状の原反１２０を、その長さ方向に所定間隔をおいて横断状に延びた各切断予定線１１３に沿って切断する。これにより袋が得られる。同図中の１１２は、得られる袋の袋本体の上端を封止した線状の溶着部（ドットハッチングで示す）である。
【先行技術文献】
【特許文献】
【０００４】
【特許文献１】実用新案登録第３０９３７３８号公報
【特許文献２】特開平０２−１３９３５３号公報
【発明の概要】
【発明が解決しようとする課題】
【０００５】
上述の袋において、提げ手部１１５は、袋本体の上端に一体に連設された提げ手形成部１１６に手挿入孔用切込み１１５ａを設けることにより、形成されていた。そのため、提げ手形成部１１６の分だけ原反１２０の材料が余分に必要となり、材料のムダが生じていた。
【０００６】
また、一般的に袋を持ち運ぶ際の袋の持ち方はなるべく多い方が望ましい。
【０００７】
本発明は、上述した技術背景に鑑みてなされたもので、その目的は、材料のムダを極力省くことができ、且つ、持ち方が多い袋を得ることができる合成樹脂製袋用原反、及び、合成樹脂製袋を提供することにある。
【課題を解決するための手段】
【０００８】
本発明は以下の手段を提供する。
【０００９】
［１］  両側部にそれぞれ二つ折り状に折り込まれたマチ予定部を有する長尺な偏平チューブ状の原反本体を備えるとともに、長さ方向に所定間隔をおいて切断されることで袋が得られる合成樹脂製袋用原反であって、
袋は、袋本体と帯状の提げ手とを備えており、
袋本体は、その両側部にそれぞれマチ予定部から形成されるとともに二つ折り状に折り込まれたマチを有するものであり、
袋本体の上端は、被収容物を収容した状態の袋本体の天壁の中央部に横断状に配置されるとともに、
袋本体の天壁が、袋本体の上端で２つの天壁半部に区画されており、
袋本体の上端及び下端のうち少なくとも一方は、袋本体内への被収容物の収容のために開口しており、且つ、収容後に封止されるものであり、
各マチは、被収容物を収容した状態の袋本体の天壁の内面に重合される重合壁を有するとともに、
各マチの重合壁が、袋本体の上端で２つの重合壁半部に区画されており、
提げ手は、原反本体とは別体に形成されたものであり、且つ、原反本体における各袋本体予定部の天壁半部予定部の外面側に、幅方向に延びる態様にして配置されるとともに、
提げ手の両端部が、天壁半部予定部の両側部の外面に固着されているか、あるいは原反本体における各袋本体予定部の両マチ予定部の重合壁半部予定部の外面側に折り返されて該外面に固着されていることを特徴とする合成樹脂製袋用原反。
【００１０】
［２］  提げ手の両端部は、天壁半部予定部の両側部の外面に固着されないで、原反本体における各袋本体予定部の両マチ予定部の重合壁半部予定部の外面側に折り返されて該外面に固着されている前項１記載の合成樹脂製袋用原反。
【００１１】
［３］  提げ手は、原反本体における各袋本体予定部の天壁半部予定部の外面側に、該外面に略重合し且つ幅方向に延びる態様にして配置されている前項１又は２記載の合成樹脂製袋用原反。
【００１２】
［４］  提げ手は、原反本体における各袋本体予定部の各天壁半部予定部の外面側に、幅方向に延びる態様にして配置されている前項１〜３のいずれかに記載の合成樹脂製袋用原反。
【００１３】
［５］  提げ手は透明である前項１〜４のいずれかに記載の合成樹脂製袋用原反。
【００１４】
［６］  提げ手は合成樹脂製であり、
提げ手の両端部がそれぞれ溶着により固着されている前項１〜５のいずれかに記載の合成樹脂製袋用原反。
【００１５】
［７］  前項１〜６のいずれかに記載の合成樹脂製袋用原反をその長さ方向に所定間隔をおいて切断して得られたものであることを特徴とする合成樹脂製袋。
【００１６】
［８］  袋本体と帯状の提げ手とを備えた合成樹脂製袋であって、
袋本体は、その両側部に二つ折り状に折り込まれたマチを有するものであり、
袋本体の上端は、被収容物を収容した状態の袋本体の天壁の中央部に横断状に配置されるとともに、
袋本体の天壁が、袋本体の上端で２つの天壁半部に区画されており、
袋本体の上端及び下端のうち少なくとも一方は、袋本体内への被収容物の収容のために開口しており、且つ、収容後に封止されるものであり、
各マチは、被収容物を収容した状態の袋本体の天壁の内面に重合される重合壁を有するとともに、
各マチの重合壁が、袋本体の上端で２つの重合壁半部に区画されており、
提げ手は、袋本体とは別体に形成されたものであり、更に、天壁半部の外面側に幅方向に延びる態様にして配置されるとともに、
提げ手の両端部が、天壁半部の両側部の外面に固着されているか、あるいは両マチの重合壁半部の外面側に折り返されて該外面に固着されていることを特徴とする合成樹脂製袋。
【００１７】
［９］  提げ手の両端部は、天壁半部の両側部の外面に固着されないで、両マチの重合壁半部の外面側に折り返されて該外面に固着されている前項８記載の合成樹脂製袋。
【００１８】
［１０］  提げ手は、天壁半部の外面側に、該外面に略重合し且つ幅方向に延びる態様にして配置されている前項８又は９記載の合成樹脂製袋。
【００１９】
［１１］  提げ手は、各天壁半部の外面側に幅方向に延びる態様にして配置されている前項８〜１０のいずれかに記載の合成樹脂製袋。
【００２０】
［１２］  提げ手は透明である前項８〜１１のいずれかに記載の合成樹脂製袋。
【００２１】
［１３］  提げ手は合成樹脂製であり、
提げ手の両端部がそれぞれ溶着により固着されている前項８〜１２のいずれかに記載の合成樹脂製袋。
【発明の効果】
【００２２】
本発明は以下の効果を奏する。
【００２３】
前項［１］の原反によれば、提げ手は、原反本体とは別体に形成されたものであるから、原反本体について材料のムダを極力省くことができる。
【００２４】
さらに、提げ手は、天壁半部予定部の外面側に幅方向に延びる態様にして配置されているので、提げ手の長さを長くすることができる。これにより、袋について様々な持ち運び方ができるようになる。例えば、提げ手を手で掴んで袋を持ち運ぶことができることはもとより、更に、提げ手を腕や肩に掛けて袋を持ち運ぶこともできるようになる。
【００２５】
前項［２］では、提げ手の両端部が、原反本体の各袋本体予定部の両マチ予定部の重合壁半部予定部の外面側に折り返されて該外面に固着されているので、当該原反から得られる袋は、提げ手を持って袋を持ち上げた際に提げ手と袋本体との固着部に、重合壁半部の外面に対して略平行な剪断方向の力が加わる。そのため、固着部が剥がれにくい。したがって、提げ手の取付け強度が高い袋を提供することができる。
【００２６】
前項［３］では、提げ手は、天壁半部予定部の外面側に該外面に略重合する態様にして配置されているので、原反を例えばロール状に巻く際に提げ手が捻れるのを防止できる。そのため、原反を綺麗にロール状に巻くことができる。さらに、原反から得られた袋においては、これを例えば複数積層する際に提げ手が捻れるのを防止できる。そのため、複数の袋を綺麗に積層することができるし、提げ手に捻れ状の折れが生じるのを防止することができる。さらに、袋本体内に被収容物を収容した状態においては、例えば店頭でこれを複数段に積み上げて陳列する際に提げ手が捻れるのを防止できる。そのため、複数の袋を綺麗に積み上げて陳列することができるし、提げ手に捻れ状の折れが生じるのを防止することができる。
【００２７】
前項［４］では、提げ手は、原反本体の各袋本体予定部の各天壁半部予定部の外面側に幅方向に延びる態様にして配置されているため、１つの袋本体につき２つの提げ手が取り付けられた袋を原反から得ることができる。したがって、両方の提げ手を持って袋を持ち上げた際に袋の安定性が高く、そのため袋を安定良く持ち運ぶことができる。
【００２８】
前項［５］では、提げ手が透明であるから、袋本体の天壁半部の外面に付された文字、図柄等の表示が提げ手で隠蔽される不具合を防止することができる。したがって、当該表示を提げ手を通して見せることができる。
【００２９】
前項［６］では、提げ手の両端部がそれぞれ溶着により固着されているので、提げ手の取付けを容易に行うことができる。
【００３０】
前項［７］の袋によれば、前項［１］〜［６］のいずれかの効果と同様の効果を奏する。
【００３１】
前項［８］〜［１３］の袋によれば、それぞれ前項［１］〜［６］の効果と同様の効果を奏する。
【図面の簡単な説明】
【００３２】
【図１】図１は、本発明の一実施形態に係る合成樹脂製袋を、その袋本体内に被収容物を収容した状態で示す斜視図である。
【図２】図２は、同袋の平面図である。
【図３】図３は、同袋における提げ手の端部と袋本体との固着部周辺を斜め下側から見た斜視図である。
【図４】図４は、同袋を、その袋本体内に被収容物を収容する前の状態で示す正面図である。
【図５】図５は、図４に示した同袋の下端の端面図である。
【図６】図６は、図４中のＡ−Ａ線拡大断面図である。
【図７】図７は、同袋用原反を溶着手段と併せて示す平面図である。
【図８】図８は、同原反の原反本体に提げ手の端部を溶着により固着する途中の状態を示す斜視図である。
【図９Ａ】図９Ａは、長尺な提げ手素材を所定長さに切断する途中の状態を示す断面図である。
【図９Ｂ】図９Ｂは、提げ手素材を切断して得られた提げ手の端部を原反本体の天壁半部予定部の外面側に折り返した状態を示す断面図である。
【図９Ｃ】図９Ｃは、提げ手の端部を溶着により固着する途中の状態を示す断面図である。
【図１０】図１０は、従来の合成樹脂製袋用原反の平面図である。
【発明を実施するための形態】
【００３３】
次に、本発明の一実施形態について図面を参照して以下に説明する。
【００３４】
本実施形態に係る袋１は、図１〜４に示すように、袋本体２と、持ち運び用の２つの帯状の提げ手１５、１５とを備えている。袋本体２と提げ手１５は、それぞれ、溶着可能な柔軟な合成樹脂フィルム製であり、具体的には例えばポリエチレンフィルム製である。袋本体２内には、被収容物として例えば紙おむつが収容されて包装される。
【００３５】
図４及び５に示すように、袋本体２（袋１）は、その内部に被収容物を収容する前の状態で、上端２ａが封止された偏平チューブ状に形成されている。そして、袋本体２内に被収容物を収容した状態では、図１に示すように袋本体２は略直方体状に形成される。
【００３６】
袋本体２は、図５に示すように、その左右両側部にそれぞれ二つ折り状に折り込まれたマチ７、７を有している。
【００３７】
図４に示すように、袋本体２の上端２ａは、両マチ７、７の上端と一緒に溶着により封止されており、そのため、袋本体２の上端２ａには該上端２ａを封止した線状の溶着部１２が上端２ａに沿って形成されている。一方、袋本体２の下端２ｂは、図５に示すように、袋本体２内への被収容物の充填収容のために開口している。そしてこの下端２ｂは、該下端開口から袋本体２内に被収容物を収容した後で、図１に示すように、上端２ａと同様に、両マチ７、７の下端と一緒に溶着により封止される。そのため、袋本体２の下端２ｂには該下端２ｂを封止した線状の溶着部１２が下端２ｂに沿って形成される。
【００３８】
図１及び２に示すように、袋本体２内に被収容物を収容した状態において、袋本体２の天壁３は平面視方形状（即ち長方形状乃至正方形状）に形成されるとともに、天壁３の中央部に袋本体２の上端２ａが横断状に配置されており、そのため、天壁３が袋本体２の上端２ａで互いに同じ方形状の２つの天壁半部３ａ、３ａに区画されている。これと同様に、袋本体２の底壁６は底面視方形状に形成されるとともに、底壁６の中央部に袋本体２の下端２ｂが横断状に配置されており、そのため、底壁６が袋本体２の下端２ｂで互いに同じ方形状の２つの底壁半部６ａ、６ａに区画されている。
【００３９】
さらに、袋本体２内に被収容物を収容した状態において、袋本体２の前壁４は正面視方形状に形成されている。また同じく、袋本体２の後壁５は背面視方形状に形成されている。
【００４０】
さらに、袋本体２内に被収容物を収容した状態において、袋本体２の左右各側壁は、二つ折り状のマチ７が平坦状に展開されることで形成されている。各マチ７は、図２及び３に示すように、袋本体２の天壁３の側部の内面に重合された平面視三角形状の上側の重合壁８を有している。この重合壁８はマチ７の上端部の三角形状部分からなるものであり、袋本体２の上端２ａで互いに同じ三角形状の２つの重合壁半部８ａ、８ａに区画されている。これと同様に、図１に示すように、各マチ７は、袋本体２の底壁６の側部の内面に重合された底面視略三角形状の下側の重合壁９を有している。この重合壁９は、マチ７の下端部の三角形状部分からなるものであり、袋本体２の下端２ｂで互いに同じ三角形状の２つの重合壁半部９ａ、９ａに区画されている。
【００４１】
提げ手１５は、袋本体２とは別体に形成されたものであり、更に、各天壁半部３ａの外面側に該外面に略重合し且つ幅方向に延びる態様にして配置されている。さらに、２つの提げ手１５、１５は互いに平行に配置されている。そして、各提げ手１５の両端部１５ａ、１５ａが、対応する天壁半部３ａの左右両側縁３ｂ、３ｂから両マチ７、７の重合壁半部８ａ、８ａの外面側に折り返されて該外面に重合状態で溶着により固着（その固着部１６）されている（図３参照）。さらに、図６に示すように、天壁半部３ａの各側部の内面と重合壁半部８ａの内面とが互いに重合した状態で溶着により固着（その固着部１６ａ）されている。各固着部１６、１６ａの形状は円形状乃至楕円形状である。
【００４２】
袋本体２の前壁４、後壁５及び天壁３の外面には、被包装物に関する文字（例：商品名、サイズ、注意事項）、図柄（例：装着方法説明図、廃棄方法説明図）等の表示（図示せず）が印刷等により付されている。
【００４３】
各提げ手１５は無色透明である。これにより、袋本体２の天壁３の外面に付された表示が各提げ手１５を通して購入者等から見えるようになっている。
【００４４】
次に、本実施形態の袋１を得るための本実施形態に係る原反２０について以下に説明する。
【００４５】
図７に示すように、本実施形態の原反２０は、複数の袋１が長さ方向に一体に連なって形成されたものであり、左右両側部にそれぞれ二つ折り状に折り込まれたマチ予定部２７、２７を有する長尺な偏平チューブ状に形成された原反本体２１を備えている。そして、原反本体２１が、その長さ方向に所定間隔をおいて横断状に延びた各切断予定線（二点鎖線で示す）１３に沿って切断手段（例：カッター）により切断されることで、本実施形態の袋１が複数得られる。なお、所定間隔とは袋本体２の長さに対応する間隔である。切断予定線１３は、原反本体２１における互いに隣接する２つの袋本体予定部２２、２２間の境界位置に幅方向に延びて設けられている。
【００４６】
ここで、図３〜６中における括弧付きの符号は、原反２０の原反本体２１の各袋本体予定部２２の各部位を示している。したがって、例えば、袋１の袋本体２は袋本体予定部２２から形成され、袋本体２の天壁半部３ａは袋本体予定部２２の天壁半部予定部２３ａから形成され、袋本体２の前壁４は袋本体予定部２２の前壁予定部２４から形成され、袋本体２の後壁５は袋本体予定部２２の後壁予定部２５から形成され、袋本体２のマチ７は袋本体予定部２２のマチ予定部２７から形成され、袋本体２のマチ７の重合壁８は袋本体予定部２２のマチ予定部２７の重合壁予定部２８から形成され、袋本体２のマチ７の重合壁半部８ａは袋本体予定部２２のマチ予定部２７の重合壁半部予定部２８ａから形成される。
【００４７】
提げ手１５は、原反本体２１とは別体に形成されたものであり、原反本体２１が切断予定線１３に沿って切断される前であって且つ原反本体２１の各袋本体予定部２２の上端が溶着により封止される前に、原反本体２１の各袋本体予定部２２に予め取り付けられたものである。
【００４８】
提げ手１５の取付け構造について図３、４、６及び７を参照して以下に説明する。
【００４９】
提げ手１５は、原反本体２１における各袋本体予定部２２の各天壁半部予定部２３ａの外面側に、原反本体２１（天壁半部予定部２３ａ）の幅方向に延びる態様にして配置されている。そして、各提げ手１５の両端部１５ａ、１５ａが、袋本体予定部２２の対応する天壁半部予定部２３ａの左右両側縁２３ｂ、２３ｂから両マチ予定部２７、２７の上側の重合壁半部予定部２８ａ、２８ａの外面側に折り返されて該外面に重合状態で溶着により固着されている（図３参照）。
【００５０】
提げ手１５の取付け方法を備えた原反２０の製造方法は次のとおりである。
【００５１】
図９Ａに示すように、原反本体２１の各袋本体予定部２２の天壁半部予定部２３ａの側部の外面に、ニス等からなる離型層１１を予め塗布形成しておく。また、原反本体２１は、送り装置（図示せず）によりその長さ方向の一方向に流れたり停止したりするようになっている。同図中のＸは、原反本体２１の流れ方向を示している。原反本体２１の流れ方向Ｘの下流側には、原反本体２１（原反２０）を巻き取る巻取りローラ（図示せず）が配置されている。
【００５２】
図７に示すように、提げ手１５の端部１５ａを溶着する溶着手段４０は、略偏平状の電気ヒーター４１と、ヒーター４１の両側に配置された２つのスペーサー（ブロック等）４２、４２などを具備している。ヒーター４１の先端部は薄厚に形成されている（図９Ｂ参照）。
【００５３】
この溶着手段４０を用い、図８に示すように、２つスペーサー４２、４２を、停止した原反本体２１の二つ折り状のマチ予定部２７間に原反本体２１の側方から挿入する。これにより、図９Ａに示すように、二つ折り状のマチ予定部２７間にヒーター挿入用隙間Ｓが形成されるようにマチ予定部２７を少し開いた状態する。さらに、提げ手素材ロール１５Ｂから送りローラ４５により送出された長尺な帯状の提げ手素材１５Ａを、原反本体２１における各袋本体予定部２２の天壁半部予定部２３ａの外面側に、該外面に略重合し且つ幅方向に延びる態様にして配置する。そして、提げ手素材１５Ａを提げ手１５の長さにカッター等の切断機４６により切断する。
【００５４】
次いで、図８及び図９Ｂに示すように、提げ手１５の端部１５ａを天壁半部予定部２３ａの側縁２３ｂからマチ予定部２７の重合壁半部予定部２８ａの外面側に折り返すとともに、ヒーター４１を二つ折り状のマチ予定部２７間における両スペーサー４２、４２により形成された隙間Ｓに原反本体２１の側方から挿入配置する。
【００５５】
そして、図９Ｃに示すように、シリンダー駆動式押付け器４３の押付け部４３ａによって天壁半部予定部２３ａの外面側から天壁半部予定部２３ａの側部と重合壁半部予定部２８ａと提げ手１５の端部１５ａとを一括してヒーター４１に押し付け、これにより、天壁半部予定部２３ａの側部と重合壁半部予定部２８ａと提げ手１５の端部１５ａとを一体的に溶着する。その結果、図６に示すように、天壁半部予定部２３ａの側部の内面と重合壁半部予定部２８ａの内面とが固着（その固着部１６ａ）されるとともに、重合壁半部予定部２８ａの外面と提げ手１５の端部１５ａとが固着（その固着部１６）される。ここで上述したように、天壁半部予定部２３ａの側部の外面には離型層１１が溶着の前に塗布形成されているので、天壁半部予定部２３ａの側部の外面と提げ手１５とは溶着されない。
【００５６】
上述のような提げ手１５の溶着（固着）を、原反本体２１の袋本体予定部２２において、一方の提げ手１５の両端部１５ａ、１５ａと他方の提げ手１５の両端部１５ａ、１５ａとの合計４箇所で行う。そして全箇所の溶着が終了したら、袋本体予定部２２の上端を該上端に沿って線状に溶着（その溶着部１２）して封止する。次いで、原反本体２１を下流方向に所定量送って停止し、新しい袋本体予定部２２に対して溶着手段４０により提げ手１５の溶着（固着）を行う。下流方向に送られた原反本体２１は巻取りロールで巻き取られる。
【００５７】
以上の手順を繰り返し行うことにより本実施形態の原反２０が得られる。得られた原反２０は巻取りロールでロール状に巻かれており、この状態で被収容物の充填収容作業現場へ搬送される。そして作業現場では、ロール状に巻かれた原反２０は被収容物の充填の際にその一端から巻き解（ほど）かれて使用される。そのため、被収容物の充填速度の向上を図ることができる。
【００５８】
ただし本発明は、提げ手１５の取付け方法が上述の方法であることに限定されるものではない。
【００５９】
本実施形態の原反２０には次のような利点がある。
【００６０】
提げ手１５は、原反本体２１とは別体に形成されたものであるから、原反本体２１について材料のムダを極力省くことができる。
【００６１】
さらに、提げ手１５は、原反本体２１の各袋本体予定部２２の天壁半部予定部２３ａの外面側に幅方向に延びる態様にして配置されているので、提げ手１５の長さを長くすることができる。これにより、袋１について様々な持ち運び方ができるようになる。例えば、提げ手１５を手で掴んで袋１を持ち運ぶことができることはもとより、更に、提げ手１５の内側に腕や肩を通して提げ手１５を腕や肩に掛けて袋１を持ち運ぶこともできるようになる。
【００６２】
しかも、提げ手１５は、天壁半部予定部２３ａの外面側に該外面に略重合する態様にして配置されているので、原反２０をロール状に巻く際に提げ手１５が捻れるのを防止できる。そのため、原反２０を綺麗にロール状に巻くことができる。さらに、原反２０から得られた袋１においては、これを複数積層する際に提げ手１５が捻れるのを防止できる。そのため、複数の袋１を綺麗に積層することができるし、提げ手１５に捻れ状の折れが生じるのを防止することができる。その上、袋本体２内に被収容物を収容した状態においては、店頭でこれを複数段に積み上げて陳列する際に提げ手１５が捻れるのを防止できる。そのため、複数の袋１を綺麗に積み上げて陳列することができるし、提げ手１５に捻れ状の折れが生じるのを防止することができる。
【００６３】
さらに、提げ手１５の両端部１５ａ、１５ａが、原反本体２１の各袋本体予定部２２の両マチ予定部２７、２７の重合壁半部予定部２８ａ、２８ａの外面側に折り返されて該外面に固着されているので、次の効果を奏する。
【００６４】
すなわち、もし提げ手１５の両端部１５ａ、１５ａが原反本体２１の天壁半部予定部２３ａの両側部の外面に固着されている場合においては、当該原反２０から得られる袋１は、提げ手１５を持って袋１を持ち上げた際に提げ手１５と袋本体２との固着部に、天壁半部３ａの外面に対して略垂直な引き剥がし方向の力が加わる。そのため、固着部が剥がれ易い。これに対して、本実施形態のように、提げ手１５の両端部１５ａ、１５ａが原反本体２１の両マチ予定部２７、２７の重合壁半部予定部２８ａ、２８ａの外面側に折り返されて該外面に固着されている場合においては、当該原反２０から得られる袋１は、提げ手１５を持って袋１を持ち上げた際に提げ手１５と袋本体２との固着部１６に、重合壁半部８ａの外面に対して略平行な剪断方向の力が加わる。そのため、固着部１６が剥がれにくい。したがって、提げ手１５の取付け強度が高い袋１を提供することができる。
【００６５】
さらに、提げ手１５は、原反本体２１の各袋本体予定部２２の各天壁半部予定部２３ａの外面側に配置されているため、１つの袋本体２につき２つの提げ手１５、１５が取り付けられた袋１を原反２０から得ることができる。したがって、両方の提げ手１５、１５を持って袋１を持ち上げた際に袋１の安定性が高く、そのため袋１を安定良く持ち運ぶことができる。
【００６６】
さらに、提げ手１５が透明であるから、袋本体２の天壁半部３ａの外面に付された文字、図柄等の表示が提げ手１５で隠蔽される不具合を防止することができる。したがって、当該表示を提げ手１５を通して購入者等に見せることができる。
【００６７】
さらに、提げ手１５の両端部１５ａ、１５ａがそれぞれ溶着により固着されているので、提げ手１５の取付けを容易に行うことができる。
【００６８】
以上で本発明の一実施形態について説明したが、本発明は上記実施形態に限定されるものではなく様々に変更可能である。
【００６９】
例えば、提げ手１５の両端部１５ａ、１５ａは、上記実施形態のように、原反本体２１における各袋本体予定部２２の両マチ予定部２７、２７の重合壁半部予定部２８ａ、２８ａの外面側に折り返されて該外面に固着されていることが特に望ましいが、本発明では、その他に、提げ手１５の両端部１５ａ、１５ａが天壁半部予定部２３ａの両側部の外面に固着されていても良い。
【００７０】
さらに、提げ手１５の各端部１５ａは、上記実施形態のように溶着により固着されているのが特に望ましいが、本発明では、その他に、提げ手１５の各端部１５ａが例えば接着剤により固着されていても良い。
【００７１】
また、上記実施形態では、袋本体２内に被収容物を収容する前の状態において、袋本体２の上端２ａは封止されているが、本発明では、その他に袋本体２の上端２ａは封止されずに袋本体２内への被収容物の充填収容等のために開口していても良い。
【産業上の利用可能性】
【００７２】
本発明は、紙おむつ、生理用ナプキン、ペットシーツ、トイレットロール等の被収容物を収容包装する合成樹脂製袋用原反、及び、合成樹脂製袋に利用可能である。
【符号の説明】
【００７３】
１：袋
２：袋本体
２ａ：袋本体の上端
２ｂ：袋本体の下端
３：天壁
７：マチ
８：重合壁
８ａ：重合壁半部
１２：溶着部
１３：切断予定線
１５：提げ手
１５ａ：提げ手の端部
１６：固着部
２０：原反
２１：原反本体
２２：袋本体予定部
２３ａ：天壁半部予定部
２７：マチ予定部
２８：重合壁予定部
２８ａ：重合壁半部予定部
【図１】
2015067323.tif 000003
【図２】
2015067323.tif 000004
【図３】
2015067323.tif 000005
【図４】
2015067323.tif 000006
【図５】
2015067323.tif 000007
【図６】
2015067323.tif 000008
【図７】
2015067323.tif 000009
【図８】
2015067323.tif 000010
【図９Ａ】
2015067323.tif 000011
【図９Ｂ】
2015067323.tif 000012
【図９Ｃ】
2015067323.tif 000013
【図１０】
2015067323.tif 000014